(57)【要約】      （修正有）【課題】無線クライアントの移動による省電力制御を行う無線アクセスポイントを提供する。【解決手段】無線クライアントと接続して無線ＬＡＮシステムを構成する無線アクセスポイントであって、予め登録されている無線アクセスポイントから無線クライアントとの通信の接続を示すクライアント接続通知を受けた時には、無線出力をパワーセーブモードから通常モードに切り替える通常モード切替手段と、予め登録している無線アクセスポイントから無線クライアントとの通信の切断を示すクライアント切断通知を受信し、かつ登録外の無線アクセスポイントからクライアント接続通知を受けた時には、無線出力を通常モードからパワーセーブモードに切り替えるパワーセーブモード切替手段とを有することを特徴とする無線アクセスポイント。【選択図】  図１
2006332844.tif 000002
【特許請求の範囲】
【請求項１】
無線クライアントと接続して無線ＬＡＮシステムを構成する無線アクセスポイントであって、
予め登録されている無線アクセスポイントから無線クライアントとの通信の接続を示すクライアント接続通知を受けた時には、無線出力をパワーセーブモードから通常モードに切り替える通常モード切替手段と、
予め登録している無線アクセスポイントから無線クライアントとの通信の切断を示すクライアント切断通知を受信し、かつ登録外の無線アクセスポイントからクライアント接続通知を受けた時には、無線出力を通常モードからパワーセーブモードに切り替えるパワーセーブモード切替手段とを有することを特徴とする無線アクセスポイント。
【請求項２】
予め登録している無線アクセスポイントから無線クライアントとの通信の切断を示すクライアント切断通知を受信し、かつ予め登録されている無線アクセスポイントからクライアント接続通知を受けた時には、無線出力を通常モードの状態に維持することを特徴とする請求項１記載の無線アクセスポイント。
【請求項３】
予め登録されている無線クライアントから接続要求があると、無線出力がパワーセーブモードのときは、通常モードに切り替え、クライアント接続通知を他の無線アクセスポイントに通知するクライアント接続通知手段を有する請求項１記載の無線アクセスポイント。
【請求項４】
予め登録されている無線アクセスポイントからクライアント接続通知を受けた時には、その無線クライアントが接続中の無線クライアントであれば移動したものとして無線クライアント切断通知を他のアクセスポイントに通知する切断通知手段を有する請求項１記載の無線アクセスポイント。
【請求項５】
予め登録した無線アクセスポイントへのみ無線クライアント接続通知、無線クライアント切断通知を送信する請求項３または請求項４記載の無線アクセスポイント。
【発明の詳細な説明】
【技術分野】
【０００１】
本発明は、無線ＬＡＮシステムの無線アクセスポイントの電力制御に関する。
【背景技術】
【０００２】
従来、広いスペースに無線ＬＡＮなどのアクセスポイントを設置する場合、例え同時にその広いスペース全てをサポート範囲にする必要がない場合にでも、無線アクセスポイントを通常稼動させていた。
【０００３】
このため、無線クライアントの稼動状況によっては、大部分の無線アクセスポイントが無駄に起動した状態になっており無駄な電力を消費している。 
【０００４】
そのため、無線クライアントがいないエリアでは、パワーセーブ（送信電力を弱める、制御用パケットの送信間隔を延ばす等）状態にし、必要な無線アクセスポイントのみ通常稼動するようネットワーク全体で制御することにより省電力を実現する。例えば、第１のアクセスポイントは自らに接続する端末数が所定値以上になると省電力状態の第２のアクセスポイントを通常状態に切り替え,第２のアクセスポイントは接続端末が無くなると省電力状態に移行するような方式が提案されている(特許文献１参照)。
【特許文献１】特開２００３-１７４４５６号公報（第１頁）
【発明の開示】
【発明が解決しようとする課題】
【０００５】
しかし、特許文献１では、無線クライアントの移動することによる省電力制御は行われていない。
【０００６】
本発明は、無線クライアントの移動による省電力制御を行う無線アクセスポイントを提供することを目的とする。
【課題を解決するための手段】
【０００７】
本発明の無線アクセスポイントは、無線クライアントと接続して無線ＬＡＮシステムを構成する無線アクセスポイントであって、
予め登録されている無線アクセスポイントから無線クライアントとの通信の接続を示すクライアント接続通知を受けた時には、無線出力をパワーセーブモードから通常モードに切り替える通常モード切替手段と、
予め登録している無線アクセスポイントから無線クライアントとの通信の切断を示すクライアント切断通知を受信し、かつ登録外の無線アクセスポイントからクライアント接続通知を受けた時には、無線出力を通常モードからパワーセーブモードに切り替えるパワーセーブモード切替手段とを有する構成である。
【０００８】
この構成により、予め登録してある無線アクセスポイントからのクライアント接続通知、切断通知により、無線出力をパワーセーブモード、通常モードに切り替えるため、無線クライアントの移動通信に必要な範囲内の無線アクセスポイントのみを動作させることができるので、省電力を達成できる。
【０００９】
また、予め登録している無線アクセスポイントから無線クライアントとの通信の切断を示すクライアント切断通知を受信し、かつ予め登録されている無線アクセスポイントからクライアント接続通知を受けた時には、無線出力を通常モードの状態に維持する構成である。
【００１０】
この構成により、無線クライアントの移動通信に必要な範囲内の無線アクセスポイントについては、クライアント切断通知が来ても通常モードで動作させることが可能となる。
【００１１】
また、予め登録されている無線クライアントから接続要求があると、無線出力がパワーセーブモードのときは、通常モードに切り替え、クライアント接続通知を他の無線アクセスポイントに通知するクライアント接続通知手段を有する構成である。
【００１２】
この構成により、無線アクセスポイントが、無線クライアントを接続したときに、クライアント接続通知を送信することができる。
【００１３】
また、予め登録されている無線アクセスポイントからクライアント接続通知を受けた時には、その無線クライアントが接続中の無線クライアントであれば移動したものとして無線クライアント切断通知を他のアクセスポイントに通知する切断通知手段を有する構成である。
【００１４】
この構成により、無線アクセスポイントが、接続中の無線クライアントの移動を検出して、クライアント切断通知を送信することができる。
【００１５】
また、予め登録した無線アクセスポイントへのみ無線クライアント接続通知、無線クライアント切断通知を送信する構成である。
【００１６】
この構成により、ブロードキャスト通信ではなく、ユニキャスト、マルチキャストで予め登録した無線アクセスポイントにのみクライアント接続通知、クライアント切断通知を送信することができる。
【発明の効果】
【００１７】
本発明により、無線ＬＡＮシステムの無線アクセスポイントの省電力を実現できる。
【発明を実施するための最良の形態】
【００１８】
（実施例１）
図１に実施例の無線アクセスポイントの構成図を示す。
【００１９】
無線アクセスポイント１は、アクセスポイント間送受信処理部２、クライアント接続処理部３、制御部４、パワーセーブ解除処理部５、パワーセーブ処理部６、登録テーブル７を有する。
【００２０】
アクセスポイント間送受信処理部２は、ネットワークで接続されている複数のアクセスポイント等との通信を制御する。
【００２１】
クライアント接続処理部３は、無線クライアントとの接続処理を行なう。登録テーブル７により、登録クライアントであるとの接続確認がされると、その結果を制御部４に渡す。
【００２２】
制御部４は、各種処理を制御する。例えば、クライアント接続通知、切断通知の処理、パワーセーブをパワーセーブ処理部６に依頼し、パワーセーブの解除をパワーセーブ解除処理部５に依頼する処理等行う。
【００２３】
パワーセーブ解除処理部５は、無線出力についてパワーセーブモードを解除して、通常のパワーモードに移行するための制御を行う。
【００２４】
パワーセーブ処理部６は、無線出力について通常のパワーモードの状態からパワーセーブモードへ移行するための制御を行う。無線出力のパワーセーブ方法として、動作クロックの低周波数化、送信電力を弱める、制御用パケットの送信間隔を延ばす等がある。
【００２５】
登録テーブル７は、隣接アクセスポイント（以下隣接ＡＰと呼ぶ）のIPアドレス等を登録する隣接ＡＰ登録テーブルと、接続を許可する無線クライアントを登録するクライアント登録テーブルと、アクセスポイントからの接続通知がある場合には、そのアクセスポイントを登録する隣接ＡＰ接続中テーブルと、クライアントからの接続要求がある場合に登録するクライアント接続中テーブルとを有する。
【００２６】
本発明の概要について以下に説明を行う。
図２に実施例の無線アクセスポイントの説明図１を示す。
（１）の初期状態では、すべてのアクセスポイントがパワーセーブモードとする。
（２）の無線クライアント接続（その１）では、あるアクセスポイントで、無線クライアントから接続要求があった場合を示す。無線クライアントがエリア内にあるアクセスポイントは、無線出力を通常モードに移行する。
【００２７】
図３に実施例の無線アクセスポイントの説明図２を示す。
（３）の無線クライアント接続（その２）では、クライアント接続通知が通知され、隣接ＡＰは、通常モードに移行する。
【００２８】
クライアント接続通知を受けても、登録外のアクセスポイントからのものは、パワーセーブモードのままであり、通常モードに移行しない。
（４）の無線クライアント移動では、まず、無線クライアントが移動し、移動先で無線クライアントは、クライアント接続要求を移動先のアクセスポイントに送信する。次に、移動先のアクセスポイントは、パワーセーブモードから通常モードに移行し、クライアント接続通知をネットワークにブロードキャストまたは、マルチキャスト等で送信する。
それを無線クライアントの移動元のアクセスポイントが受信すると、移動元のアクセスポイントは、クライアント切断通知をネットワークにブロードキャストまたは、マルチキャスト等で送信する。
移動先の隣接ＡＰは、クライアント接続通知を受信すると、パワーセーブモードから通常モードに移行する。
【００２９】
図４に実施例の無線アクセスポイントの説明図３を示す。
（５）の移動完了では、移動元の隣接ＡＰは、移動元のアクセスポイントからのクライアント切断通知を受信すると、通常モードからパワーセーブモードに移行する。
【００３０】
無線クライアントの移動したときのクライアント接続通知とクライアント切断通知とは、ＬＡＮ上で、アクセスポイントへの通知が逆転することもある。
このため、以下のパターンの判断が必要となる。
（イ）登録外からのクライアント接続通知を先に受信し、隣接ＡＰのクライアント切断通知を後に受信した場合は、通常モードからパワーセーブとする。
（ロ）隣接ＡＰのクライアント切断通知を先に受信し、登録外からのクライアント接続通知を後に受信した場合は、通常モードからパワーセーブとする。
（ハ）隣接ＡＰからのクライアント接続通知を先に受信し、隣接ＡＰのクライアント切断通知を後に受信した場合は、通常モードのままとする。
（ニ）隣接ＡＰのクライアント切断通知を先に受信し、隣接ＡＰからのクライアント接続通知を後に受信した場合は、通常モードのままとする。
【００３１】
図５に実施例の無線アクセスポイントの処理の流れ図１を示す。
まず、隣接ＡＰを登録する（Ｓ１１ステップ）。
隣接ＡＰのIPアドレス、MACアドレス、固有名称といった固有情報を隣接ＡＰ登録テーブルに登録する。
また、無線クライアントのＩＰアドレス等をクライアント登録テーブルに登録している。
次に、パワーセーブモードとしておく（Ｓ１２ステップ）。
次にパケットを受信したか否かをチェックする（Ｓ１３ステップ）。
【００３２】
パケットを受信した場合には、そのパケットがクライアント接続通知か、クライアント切断通知か無線クライアントからの接続要求かを判別する。クライアント接続通知の場合には、図６のＳ２１ステップへ行く。クライアント切断通知の場合には、図７のＳ３１ステップへ行く。
【００３３】
クライアント接続要求の場合には、クライアント登録テーブルに登録されているクライアントであれば、無線クライアントとの接続処理を行ない（Ｓ１４ステップ）、クライアント接続通知をブロードキャストにて複数の無線アクセスポイントが接続されているネットワークに送信する（Ｓ１５ステップ）。そしてクライアント接続中テーブルに無線クライアント情報を設定する。
【００３４】
次に、パワーセーブモードを解除する（Ｓ１６ステップ）。
次に、待機時間を設定し（Ｓ１７ステップ）、待機時間が経過したか否かをチェックする（Ｓ１８ステップ）。待機時間が経過したら、パケット待ちのＳ１３ステップに戻る。
待機時間が経過していなければ、時間カウントを所定数差し引き、Ｓ１８ステップへ戻る（Ｓ１９ステップ）。
【００３５】
待機時間をとることで、アクセスポイントのネットワークからのパケット送受信動作準備が完了する。そして、無線クライアントの使用が可能となる。
【００３６】
図６に実施例の無線アクセスポイントの処理の流れ図２を示す。
無線クライアント接続通知の場合には、送信元が隣接ＡＰかを確認する（Ｓ２１ステップ）。
隣接ＡＰでなければ、Ｓ１３ステップに戻る。
隣接ＡＰの場合には、隣接ＡＰに無線クライアントが存在する可能性があり、その無線クライアントが自アクセスポイントに移動してくる可能性があるので、パワーセーブモード中であれば、パワーセーブモードを通常モードに解除しておく（Ｓ２２ステップ）。そして、その隣接ＡＰについて隣接ＡＰ接続中テーブルに登録する。
【００３７】
次に、クライアント接続通知情報の中から無線クライアントのアドレスを取得して、自アクセスポイントに接続していた無線クライアントか否かをチェックする（Ｓ２３ステップ）。
【００３８】
接続中の無線クライアントでなければ、Ｓ１３ステップに戻る。
接続中の無線クライアントであれば、自アクセスポイントからクライアント接続通知を送付してきたアクセスポイントに移動したもののため、クライアント切断通知をブロードキャスト等で送信し、（Ｓ２４ステップ）クライアント接続中リストからそのクライアントを削除し、（Ｓ２５ステップ）Ｓ１３ステップに戻る。
【００３９】
図７に実施例の無線アクセスポイントの処理の流れ図３を示す。
クライアント切断通知の場合には、送信元は隣接ＡＰかを確認する（Ｓ３１ステップ）。
隣接ＡＰでなければ、Ｓ１３ステップに戻る。
隣接ＡＰの場合には、移動通知か否かを判断するために、解除のための待機時間ｔ＝ｍを設定し（Ｓ３２ステップ）、待機時間の経過をチェックし（Ｓ３３ステップ）、経過していなければ、待機時間ｔ＝ｔ−１として（Ｓ３４ステップ）、クライアント接続通知が受信したか否かを確認する（Ｓ３５ステップ）。
【００４０】
ここで、クライアント接続通知を確認するのは、無線クライアントが移動したとき、移動先でまずクライアント接続通知が送信され、その後、移動元のクライアント切断通知が送信されるが、無線アクセスポイントでその情報を受信する際に、ＬＡＮ上での情報の逆転が生じた形で、受信するケースがあるためである。
【００４１】
無線クライアント接続通知受信していなければ、Ｓ３３ステップに戻る。
無線クライアント接続通知を受信した場合には、隣接ＡＰか否かを確認する（Ｓ３６ステップ）。
【００４２】
隣接ＡＰでなければ、切断通知発行元のアクセスポイントを隣接ＡＰ接続中テーブルから削除し、パワーセーブを行い（Ｓ３７ステップ）、Ｓ１３ステップへ戻る。
隣接ＡＰの場合には、通常状態のままとして（Ｓ３８ステップ）、Ｓ１３ステップへ戻る。
【００４３】
待機時間が経過、すなわちタイムアップしていれば、隣接ＡＰ接続中テーブルにより、無線クライアント切断通知の隣接ＡＰとは異なる隣接ＡＰからクライアント接続要求を受信済か否かを確認する（Ｓ３９ステップ）。
【００４４】
他の隣接ＡＰからのクライアント接続要求を受信済でなければ、切断通知発行元のアクセスポイントを隣接ＡＰ接続中テーブルから削除し、パワーセーブモードにして（Ｓ４０ステップ）、Ｓ１３ステップへ戻る。
【００４５】
他の隣接ＡＰからのクライアント接続要求を受信済であれば、Ｓ１３ステップへ戻る。
【００４６】
無線アクセスポイントからのクライアント接続要求、切断要求をブロードキャストで送信することもできるし、ユニキャスト、マルチキャストで、相手を指定することで、送信することもできる。
【００４７】
ユニキャスト、マルチキャストで、相手を指定する場合には、アクセスポイントによる隣接ＡＰか否かのチェックが不要となる。具体的には、図６のＳ２１、図７のＳ３１ステップを削除することができる。
【００４８】
以上の構成のほかに、複数の無線アクセスポイントを設置している環境において、無線アクセスポイントからの無線クライアント接続通知、無線クライアント切断通知を集約し、当該無線アクセスポイントに対しパワーセーブから通常モードへ、通常モードからパワーセーブへの切替指示を出す無線アクセスポイント集中制御装置を設置するシステムも可能である。
（１）初期状態では、すべてのアクセスポイントがパワーセーブモードとする。
（２）無線クライアント接続では、あるアクセスポイントで無線クライアントから接続要求があった場合は、そのアクセスポイントがクライアント接続通知を送信する。無線アクセスポイント集中制御装置は、そのクライアント接続通知を受信すると、そのアクセスポイントと無線クライアントの情報を記憶部に格納する。そして、そのアクセスポイントを通常モードに移行させるため、そのアクセスポイント宛に通常モード移行通知を送信する。
そのアクセスポイントは、その通知を受領すると、通常モードに移行する。  
（３）次に、無線アクセスポイント集中制御装置は、通常モードに移行させたアクセスポイントの隣接ＡＰも、通常モード移行通知を送信して通常モードに移行させる。
（４）無線クライアントが移動すると、移動先で無線クライアントは、クライアント接続要求を移動先のアクセスポイントに送信する。次に、移動先のアクセスポイントは、クライアント接続通知を送信する。
【００４９】
クライアント接続通知を受信すると、無線アクセスポイント集中制御装置は、記憶部に格納しているアクセスポイントに対応する接続中の無線クライアントをチェックし、同じ無線クライアントであれば、アクセスポイントが異なっていることで、移動したことを確認する。そして、移動先のアクセスポイントに通常モード移行通知を送信して通常モードに移行させる。また、移動先の隣接ＡＰについては、パワーセーブモードから通常モードに移行させる。
【００５０】
次に、無線クライアントの移動元のアクセスポイントがクライアント接続通知受信すると、移動元のアクセスポイントは、無線クライアントが移動したものとしてクライアント切断通知を送信する。
【００５１】
無線アクセスポイント集中制御装置は、クライアント切断通知を受け、移動元のアクセスポイントと判断すると、他に接続している無線クライアントまたは他のアクセスポイントの隣接ＡＰでないことを確認すると、パワーセーブモード移行通知を送信して、パワーセーブモードに移動元のアクセスポイントを移行させる。また、移動元の隣接ＡＰについても、同様に処理する。
【００５２】
以上により、倉庫や店舗など広いサービス空間を少ない無線クライアントが移動する場合などに適用でき、無線クライアントがいないエリアでは、パワーセーブ状態にし、必要な無線アクセスポイントのみ通常稼動するようネットワーク全体で制御することにより省電力を実現することが可能となる。
【００５３】
以上の実施例１を含む実施形態に関し、更に以下の付記を開示する。
（付記１)無線クライアントと接続して無線ＬＡＮシステムを構成する無線アクセスポイントであって、予め登録されている無線アクセスポイントから無線クライアントとの通信の接続を示すクライアント接続通知を受けた時には、無線出力をパワーセーブモードから通常モードに切り替える通常モード切替手段と、予め登録している無線アクセスポイントから無線クライアントとの通信の切断を示すクライアント切断通知を受信し、かつ登録外の無線アクセスポイントからクライアント接続通知を受けた時には、無線出力を通常モードからパワーセーブモードに切り替えるパワーセーブモード切替手段とを有することを特徴とする無線アクセスポイント。
（付記２)予め登録している無線アクセスポイントから無線クライアントとの通信の切断を示すクライアント切断通知を受信し、かつ予め登録されている無線アクセスポイントからクライアント接続通知を受けた時には、無線出力を通常モードの状態に維持することを特徴とする付記１記載の無線アクセスポイント。
（付記３)予め登録されている無線クライアントから接続要求があると、無線出力がパワーセーブモードのときは、通常モードに切り替え、クライアント接続通知を他の無線アクセスポイントに通知するクライアント接続通知手段を有する付記１記載の無線アクセスポイント。
（付記４)予め登録されている無線アクセスポイントからクライアント接続通知を受けた時には、その無線クライアントが接続中の無線クライアントであれば移動したものとして無線クライアント切断通知を他のアクセスポイントに通知する切断通知手段を有する付記１記載の無線アクセスポイント。
（付記５)予め登録した無線アクセスポイントへのみ無線クライアント接続通知、無線クライアント切断通知を送信する付記項３または付記４記載の無線アクセスポイント。
（付記６）複数の無線アクセスポイントを設置している環境において、無線アクセスポイントからの無線クライアント接続通知、無線クライアント切断通知を集約し、当該無線アクセスポイントに対しパワーセーブから通常モードへ、通常モードからパワーセーブへの切替指示を出す無線アクセスポイント集中制御装置。
【産業上の利用可能性】
【００５４】
本発明は、無線ＬＡＮシステムの省電力を実現する無線アクセスポイントを提供する用途に適用できる。
【図面の簡単な説明】
【００５５】
【図１】実施例の無線アクセスポイントの構成図
【図２】実施例の無線アクセスポイントの説明図１
【図３】実施例の無線アクセスポイントの説明図２
【図４】実施例の無線アクセスポイントの説明図３
【図５】実施例の無線アクセスポイントの処理の流れ図１
【図６】実施例の無線アクセスポイントの処理の流れ図２
【図７】実施例の無線アクセスポイントの処理の流れ図３
【符号の説明】
【００５６】
１  無線アクセスポイント
２  アクセスポイント間送受信処理部
３  クライアント接続処理部
４  制御部
５  パワーセーブ解除処理部
６  パワーセーブ処理部
７  登録テーブル
【図１】
2006332844.tif 000003
【図２】
2006332844.tif 000004
【図３】
2006332844.tif 000005
【図４】
2006332844.tif 000006
【図５】
2006332844.tif 000007
【図６】
2006332844.tif 000008
【図７】
2006332844.tif 000009